(57)【要約】【課題】  使用者が、複数表記された記号を容易に把握することができ、これにより、視認性、操作性及び利便性の高い電子機器を提供すること。【解決手段】  少なくとも一部が透過状態又は半透過状態であり複数の操作記号７が表示された表示面１５，１５’が形成された操作ボタン５を有する操作部２と、装置自体の動作を制御する制御部６と、を備えた携帯電話１（電子機器）であって、各操作ボタン５に、操作ボタン５の背面側を遮光された少なくとも２以上の遮光空間に分割するフレーム１８（遮光性分割部）を備えると共に、各遮光空間に、各遮光空間に対応する表示面１５，１５’を操作ボタン５の背面側から照光するＬＥＤ９（照光部）を備え、制御部６は、装置自体の動作状態に応じて各ＬＥＤ９の点灯状態を制御する照光制御部１２を備えた。【選択図】図３
2008090767.tif 000002
【特許請求の範囲】
【請求項１】
少なくとも一部が透過状態又は半透過状態であり複数の操作記号が表示された表示面が形成された操作ボタンを有する操作部と、装置自体の動作を制御する制御部と、を備えた電子機器であって、
前記各操作ボタンに、前記操作ボタンの背面側を遮光された少なくとも２以上の遮光空間に分割する遮光性分割部を備えると共に、前記各遮光空間に、当該各遮光空間に対応する前記表示面を前記操作ボタンの背面側から照光する照光部を備え、
前記制御部は、装置自体の動作状態に応じて前記各照光部の点灯状態を制御する照光制御部を備えた、ことを特徴とする電子機器。
【請求項２】
前記照光制御部は、装置自体の動作状態毎に予め指定された前記照光部を点灯状態に制御する、ことを特徴とする請求項１記載の電子機器。
【請求項３】
前記照光制御部は、装置に対する情報入力状態に応じて前記各照光部の点灯状態を制御する、ことを特徴とする請求項２記載の電子機器。
【請求項４】
前記操作記号を、使用頻度の高いメイン記号と、使用頻度の低いサブ記号と、を１つの前記操作ボタンにおいて分割された異なる前記遮光空間上の前記表示面にそれぞれ割り当てる、ことを特徴とする請求項１，２又は３記載の電子機器。
【請求項５】
前記照光制御部は、装置自体の動作状態に応じて、前記メイン記号が割り当てられた前記遮光空間に対応する前記照光部と、前記サブ記号が割り当てられた前記遮光空間に対応する前記照光部と、のいずれか一方又は両方を点灯させる、ことを特徴とする請求項４記載の電子機器。
【請求項６】
前記遮光性分割部が前記操作ボタンの押下によって押圧されたときに弾性変形するよう、当該遮光性分割部の一部を弾性部材にて形成した、ことを特徴とする請求項１，２，３，４又は５記載の電子機器。
【請求項７】
前記操作ボタンを支持し、前記遮光性分割部を一体的に有して前記遮光空間を形成する遮光枠体を、弾性部材にて形成した、ことを特徴とする請求項６記載の電子機器。
【請求項８】
少なくとも一部が透過状態又は半透過状態であり複数の操作記号が表示された表示面が形成された操作ボタンを有する操作部と、装置自体の動作を制御する制御部と、前記操作ボタンの背面側を互いに遮光された少なくとも２以上の遮光空間に分割する遮光性分割部と、前記各遮光空間に対応する前記表示面を前記操作ボタンの背面側から照光する照光部と、を備えた電子機器にて、前記操作部の表示状態を制御する方法であって、
前記制御部が、装置自体の動作状態に応じて前記各照光部の点灯状態を制御する、
ことを特徴とする操作部の表示状態制御方法。
【請求項９】
前記制御部が、装置自体の動作状態毎に予め指定された前記照光部を点灯状態に制御する、ことを特徴とする請求項８記載の操作部の表示状態制御方法。
【請求項１０】
前記制御部が、装置に対する情報入力状態に応じて前記各照光部の点灯状態を制御する、ことを特徴とする請求項９記載の操作部の表示状態制御方法。
【請求項１１】
前記操作記号の使用頻度の高いメイン記号と、使用頻度の低いサブ記号と、が１つの前記操作ボタンにおいて分割された異なる前記遮光空間上の前記表示面にそれぞれ割り当てられており、
前記制御部が、装置自体の動作状態に応じて、前記メイン記号が割り当てられた前記遮光空間に対応する前記照光部と、前記サブ記号が割り当てられた前記遮光空間に対応する前記照光部と、のいずれか一方又は両方を点灯させる、ことを特徴とする請求項８，９又は１０記載の操作部の表示状態制御方法。
【請求項１２】
少なくとも一部が透過状態又は半透過状態であり複数の操作記号が表示された表示面が形成された操作ボタンを有する操作部と、装置自体の動作を制御する制御部と、前記操作ボタンの背面側を互いに遮光された少なくとも２以上の遮光空間に分割する遮光性分割部と、前記各遮光空間に対応する前記表示面を前記操作ボタンの背面側から照光する照光部と、を備えた電子機器の前記制御部に、
装置自体の動作状態に応じて前記各照光部の点灯状態を制御する照光制御部、
を実現させるためのプログラム。
【発明の詳細な説明】
【技術分野】
【０００１】
本発明は、電子機器にかかり、特に、操作ボタンを有する電子機器に関する。
【背景技術】
【０００２】
電子機器の多機能化、さらには小型化が進む反面で、設置スペースの問題などにより、各機能に対応した操作ボタンをそれぞれ設けることが困難となっている。この対策として、従来より、１つの操作ボタンが各機能に対応するような構造が用いられ、各機能に対応する各記号を１つの操作ボタン上に併記する方法が採られている。
【０００３】
【特許文献１】特開２０００−２０７９７８
【発明の開示】
【発明が解決しようとする課題】
【０００４】
しかしながら、上述したように、複数の記号を１つの操作ボタン上に併記する方法は、動作状況と関係のない記号も同時に表示されてしまうため、操作ボタンの視認性が低下する、という問題が生じる。
【０００５】
また、１つの操作ボタンが各機能に対応する構造としては、特許文献１に示すような構造がある。この特許文献１の構造は、各操作ボタンの内部を、仕切板部により相互間の遮光性が保たれた２つの空間に仕切り、各空間に文字シート及びＬＥＤを収容している。そして、操作ボタンの操作を検出することにより、操作に応じてＬＥＤの点灯及び消灯のパターンが変更され、各機能に対応した文字を表示させる。
【０００６】
しかし、特許文献１に示す構造は、使用者の操作に応じて、各機能に対応した文字などを表示するものであるため、必ずしも装置の動作状態に対応した表示画面とならない場合が生じる。したがって、使用者の操作性の更なる向上を図ることができない。
【０００７】
このため、本発明では、上記従来例の有する不都合を改善し、特に、使用者が、複数表記された記号を容易に把握することができ、これにより、視認性、操作性及び利便性の高い電子機器を提供すること、をその目的とする。
【課題を解決するための手段】
【０００８】
そこで、本発明の一形態である電子機器は、少なくとも一部が透過状態又は半透過状態であり複数の操作記号が表示された表示面が形成された操作ボタンを有する操作部と、装置自体の動作を制御する制御部と、を備えた電子機器であって、各操作ボタンに、操作ボタンの背面側を遮光された少なくとも２以上の遮光空間に分割する遮光性分割部を備えると共に、各遮光空間に、各遮光空間に対応する表示面を操作ボタンの背面側から照光する照光部を備え、制御部は、装置自体の動作状態に応じて各照光部の点灯状態を制御する照光制御部を備えた、ことを特徴としている。かかる構成によると、遮光性分割部によって分割された各空間がそれぞれ遮光されているため、各照光部が点灯又は消灯することにより、照光部が点灯している空間に対応する表示面のみ照光され、この表示面に表記されている操作記号が、使用者に視認され易くなる。そして、照光制御部が、装置の動作状態を検出して、この検出した動作状態に応じて各照光部の点灯状態を制御するため、動作状態に適した操作記号を、表示面に表示させることができる。これにより、使用者は、複数表記された操作記号を、動作状態毎に容易に把握することができる。したがって、操作記号の視認性を向上させることができると共に、電子機器における操作ボタンの操作性を向上させることができる。
【０００９】
そして、照光制御部は、装置自体の動作状態毎に予め指定された照光部を点灯状態に制御する、ことを特徴としている。かかる構成によると、装置の動作状態毎に、使用される操作記号が割り当てられた遮光空間に対応する照光部のみ、点灯状態に制御される。これにより、各動作状態毎に適切な操作記号を表示することができ、使用者は、装置の動作状態毎に、使用する操作記号と、使用しない操作記号と、を把握することができる。
【００１０】
そして、照光制御部は、装置に対する情報入力状態に応じて各照光部の点灯状態を制御する、ことを特徴としている。これにより、使用する操作記号が割り当てられた遮光空間に対応する照光部のみ点灯させる。したがって、使用者は、情報入力状態において、各入力操作に適した操作記号のみ視認することができ、各情報入力状態毎に、使用する操作記号を容易に把握することができる。
【００１１】
また、操作記号を、使用頻度の高いメイン記号と、使用頻度の低いサブ記号と、を１つの操作ボタンにおいて分割された異なる遮光空間上の表示面にそれぞれ割り当てる、ことを特徴としている。かかる構成によると、メイン記号と、サブ記号と、を区別して視認することができる。
【００１２】
そして、照光制御部は、装置自体の動作状態に応じて、メイン記号が割り当てられた遮光空間に対応する照光部と、サブ記号が割り当てられた遮光空間に対応する照光部と、のいずれか一方又は両方を点灯させる、ことを特徴としている。かかる構成によると、メイン記号及びサブ記号のいずれか一方又は両方が表示面に表示される。例えば、装置の動作状態が、メイン記号のみ使用する状態である場合は、メイン記号が割り当てられた遮光空間に対応する照光部を点灯させ、サブ記号が割り当てられた遮光空間に対応する照光部は消灯する。そして、サブ記号のみ使用する状態である場合は、サブ記号が割り当てられた遮光空間に対応する照光部を点灯させ、メイン記号が割り当てられた遮光空間に対応する照光部は消灯する。また、装置の動作状態が、メイン記号と、サブ記号と、の両方を使用する状態である場合は、メイン記号が割り当てられた遮光空間に対応する照光部と、サブ記号が割り当てられた遮光空間に対応する照光部と、の両方を点灯する。これにより、使用者は、装置の動作状態に応じて、使用する操作記号を容易に把握することができる。
【００１３】
また、遮光性分割部が操作ボタンの押下によって押圧されたときに弾性変形するよう、遮光性分割部の一部を弾性部材にて形成した、ことを特徴としている。これにより、遮光性分割部を操作ボタンに密着することができると共に、操作ボタンの押下によって押圧されたときに弾性変形させることができるため、遮光性分割部と操作ボタンとの隙間をなくして遮光性を高めることができる。したがって、遮光性分割部によって形成された各空間の遮光性を向上させることができると共に、操作ボタンの操作性を向上させることができる。
【００１４】
そして、操作ボタンを支持し、遮光性分割部を一体的に有して遮光空間を形成する遮光枠体を、弾性部材にて形成した、ことを特徴としている。かかる構成によると、遮光空間を形成する遮光枠体を、遮光性分割部を含めた一体的な弾性部材で形成しているため、部品点数を削減することができると共に、装置の薄型化を図ることができる。
【００１５】
また、本発明の他の形態である表示状態制御方法は、少なくとも一部が透過状態又は半透過状態であり複数の操作記号が表示された表示面が形成された操作ボタンを有する操作部と、装置自体の動作を制御する制御部と、操作ボタンの背面側を互いに遮光された少なくとも２以上の遮光空間に分割する遮光性分割部と、各遮光空間に対応する表示面を操作ボタンの背面側から照光する照光部と、を備えた電子機器にて、操作部の表示状態を制御する方法であって、制御部が、装置自体の動作状態に応じて各照光部の点灯状態を制御する、ことを特徴としている。
【００１６】
そして、制御部が、装置自体の動作状態毎に予め指定された照光部を点灯状態に制御する、ことを特徴としている。また、制御部が、装置に対する情報入力状態に応じて各照光部の点灯状態を制御する、ことを特徴としている。
【００１７】
また、操作記号の使用頻度の高いメイン記号と使用頻度の低いサブ記号とが、１つの操作ボタンにおいて分割された異なる遮光空間上の表示面にそれぞれ割り当てられており、制御部が、装置自体の動作状態に応じて、メイン記号が割り当てられた遮光空間に対応する照光部と、サブ記号が割り当てられた遮光空間に対応する照光部と、のいずれか一方又は両方を点灯させる、ことを特徴としている。
【００１８】
さらに、本発明の他の形態であるプログラムは、少なくとも一部が透過状態又は半透過状態であり複数の操作記号が表示された表示面が形成された操作ボタンを有する操作部と、装置自体の動作を制御する制御部と、操作ボタンの背面側を互いに遮光された少なくとも２以上の遮光空間に分割する遮光性分割部と、各遮光空間に対応する表示面を操作ボタンの背面側から照光する照光部と、を備えた電子機器の制御部に、装置自体の動作状態に応じて各照光部の点灯状態を制御する照光制御部、を実現させる、ことを特徴としている。
【００１９】
なお、上記構成の方法、プログラムであっても、上述した電子機器と同様に作用するため、上記本発明の目的を達成することができる。
【発明の効果】
【００２０】
本発明は、以上のように構成され機能するので、これによると、操作ボタンの表示面に表示された複数の操作記号を、装置の動作状態に応じて切り替えることができる。したがって、使用者が、複数表記された操作記号を動作状態毎に容易に把握することができると共に、操作記号の視認性及び電子機器の操作性を向上させることができる。
【発明を実施するための最良の形態】
【００２１】
本発明は、照光制御部が、遮光空間毎に備えられた各照光部の点灯状態を、装置自体の動作状態に応じて制御することで、使用者に、表示面に複数表示された操作記号を動作状態毎に容易に把握させる、ことに特徴を有する。以下、具体的な構成及び作用を、実施例を参照して説明する。
【００２２】
なお、以下では、本発明である電子機器として、上記特徴を有する携帯電話を例に挙げて説明する。但し、これは一例であって、上記特徴を有する他の電子機器（例えば、ＰＤＡやパソコンなど）であってもよい。
【実施例１】
【００２３】
本発明の第１の実施例を、図１乃至図６を参照して説明する。図１は、本実施例における携帯電話の構成を示す斜視図である。図２は、図１に示す携帯電話の分解斜視図である。図３は、携帯電話の構成を示すブロック図である。図４（ａ）は、メイン記号のみ表示された操作ボタンの表示面の状態を示す状態図である。図４（ｂ）は、図４（ａ）のＡ−Ａ線における断面図である。図５（ａ）は、メイン記号及びサブ記号が表示された操作ボタンの表示面の状態を示す状態図である。図５（ｂ）は、図５（ａ）のＡ−Ａ線における断面図である。図６は、本実施例における携帯電話の動作を示すフローチャートである。
【００２４】
［構成］
図１に示すように、本発明における携帯電話１（電子機器）は、例えば、ストレートタイプの携帯電話であり、文字の入力などを行う操作部２と、文字や画像などを表示する表示装置３と、が筐体４に装備されている。以下、各構成について詳述する。
【００２５】
筐体４は、例えば、直方体のケースである。そして、図２に示すように、上側筐体４１と、下側筐体４２と、に分割されて形成されており、後述する操作ボタン５と、遮光ゴム１１及び分割フレーム８からなるフレーム１８と、基板１０と、を収容している。また、上側筐体４１は、表示装置３を備えると共に、操作ボタン５が配置される箇所が、刳り貫かれて形成されている。
【００２６】
操作部２は、後述する操作ボタン５、フレーム１８及び基板１０を備えており、上側筐体４１に装備されている。そして、後述する制御部６に指令を送り、文字の入力や動作状態の変更を行うものである。
【００２７】
操作ボタン５は、例えば、テンキー、♯キー、＊キー及びメニューキーであり、上側筐体４１に装備され、外部に露出する各ボタンである。そして、操作ボタン５上面には、後述する操作記号７が表記された表示面１５，１５’を備えており、この操作ボタン５の背面側には、後述するＬＥＤ９を実装した基板１０が配置されている。そして、基板１０及び操作ボタン５間には、後述するフレーム１８が介挿されている。
【００２８】
操作ボタン５の表示面１５，１５’は、操作ボタン５の上面に形成され、後述する操作記号７を表示している。さらに、操作記号７は、後述するようにメイン記号７１と、サブ記号７２と、で左右に分けられて表記されている。このとき、メイン記号７１が表記される表示面１５と、サブ記号７２が表記される表示面１５’と、が異なる色で配色されている。さらに、メイン記号７１の文字部分と、このメイン記号７１が表記された表示面１５と、が異なる色で配色され、メイン記号７１の文字部分は透過性のインク、表示面１５は遮光性のインクでそれぞれ裏面印刷されている。また、サブ記号７２の文字部分と、このサブ記号７２が表記された表示面１５’と、は同じ色で配色され、サブ記号７２の文字部分は透過性のインク、表示面１５’は遮光性のインクでそれぞれ裏面印刷されている。これにより、後述するＬＥＤ９が全て消灯している状態では、表示面１５’に表記されたサブ記号７２の文字部分は、周囲と同色であるため、使用者に視認され難く、表示面１５に表記されたメイン記号７１の文字部分は、周囲と異なる配色であるため、使用者から視認され易くなる。これにより、使用者は、メイン記号７１と、サブ記号７２と、を容易に区別することができる。また、後述するようにメインＬＥＤ９１及びサブＬＥＤ９２によって表示面１５，１５’がそれぞれ照光された状態では、表示面１５’に表記されたサブ記号７２の文字部分と、表示面１５に表記されたメイン記号７１の文字部分と、が共に透過性であるため、メイン記号７１及びサブ記号７２が鮮明に表示され、使用者は、メイン記号７１及びサブ記号７２を視認することができるようになる。
【００２９】
操作記号７は、携帯電話１において使用される数字、カナ、ローマ字、あるいは♯、＊などの記号、あるいは、通話開始記号、クリア記号及び通話終了記号である。本実施例では、携帯電話１において使用頻度の高い０乃至９の数字、♯及び＊を、メイン記号７１とし、使用頻度の低いカナ及びローマ字を、サブ記号７２として分けて表示している。なお、通話開始記号、クリア記号及び通話終了記号は、メイン記号７１と同様の構成を採り、サブ記号７２と併記せずに単独で表記している。ここで、メイン記号７１は、サブ記号７２よりも大きく表示されている。なお、本実施例では、使用頻度の高い０乃至９の数字、♯及び＊を、メイン記号７１、使用頻度の低いカナ及びローマ字を、サブ記号７２として分けて表示した場合を説明したが、数字、♯及び＊を、メイン記号７１、カナ及びローマ字を、サブ記号７２として分けた場合に限られない。カナをメイン記号、その他の記号をサブ記号として分けて表示してもよい。
【００３０】
フレーム１８（遮光性分割部）は、後述する分割フレーム８と、遮光ゴム１１と、で構成されており、操作ボタン５と、後述する基板１０と、の間に介挿されている。そして、操作ボタン５と、フレーム１８と、基板１０と、で表示面１５，１５’にそれぞれ対応した遮光空間を形成している。そして、各遮光空間に、後述するＬＥＤ９がそれぞれ配置されている。
【００３１】
分割フレーム８（遮光性分割部）は、遮光性の部材で形成され、各操作ボタン５間を分割するものである。そして、後述する遮光ゴム１１と共に、操作ボタン５と、後述する基板１０と、の間に介挿され、各操作ボタン５に対応した各空間を形成するものである。さらに、本実施例では、メイン記号７１に対応する表示面１５と、サブ記号７２に対応する表示面１５’と、の間を分割するように分割フレーム８を形成している。遮光ゴム１１（遮光性分割部）は、分割フレーム８の上面に貼り付けられた遮光性のゴムであり、操作ボタン５の押下時に弾性変形させるものである。なお、本実施例では、メイン記号７１に対応する表示面１５と、サブ記号７２に対応する表示面１５’と、の間を分割するように分割フレーム８を形成した場合を説明したが、２つの遮光空間の場合に限られず、操作ボタン５の表示面の分割数に応じて、さらに多くの遮光空間を形成してもよい。
【００３２】
ＬＥＤ９（照光部）は、後述する基板１０上に実装されて操作ボタン５の表示面１５，１５’を背面側から照光すると共に、フレーム１８によって分割された各遮光空間にそれぞれ配置されている。このＬＥＤ９は、メイン記号７１に対応する空間に配置されるメインＬＥＤ９１と、サブ記号７２に対応する空間に配置されるサブＬＥＤ９２と、を備えている。そして、メインＬＥＤ９１及びサブＬＥＤ９２は、後述する照光制御部１２によって、それぞれ制御されており、照光制御部１２からの指令に基づいて、メインＬＥＤ９１及びサブＬＥＤ９２を、それぞれ点灯又は消灯させる。これにより、メインＬＥＤ９１のみが点灯している状態では、図４（ｂ）に示すように、メインＬＥＤ９１に対応する表示面１５が照光され、図４（ａ）に示すように、表示面１５に表記されたメイン記号７１が視認され易くなる。そして、図５（ｂ）に示すように、メインＬＥＤ９１及びサブＬＥＤ９２が点灯している状態では、メインＬＥＤ９１及びサブＬＥＤ９２に対応する表示面１５及び表示面１５’が、それぞれ照光され、図５（ａ）に示すように、メイン記号７１及びサブ記号７２が視認される。なお、本実施例では、照光部としてＬＥＤ９を用いた場合を説明したが、ＬＥＤ９を用いた場合に限定されない。各遮光空間に対応する表示面１５，１５’を操作ボタン５の背面側から照光することができればよい。また、照光制御部１２からの指令に基づいて、メインＬＥＤ９１のみが点灯した状態と、メインＬＥＤ９１及びサブＬＥＤ９２が点灯した状態と、を説明したが、これらの場合に限定されない。メインＬＥＤ９１が消灯し、サブＬＥＤ９２のみ点灯している状態であってもよい。
【００３３】
制御部６は、例えば、ＣＰＵであって、図３に示すように、携帯電話１の内部に備えられている。そして、制御部６には、プログラムが組み込まれることによって、照光制御部１２と、表示制御部１３と、が構築されている。また、制御部６は、操作部２と、表示装置３と、後述する設定記録部１４と、接続されている。
【００３４】
表示制御部１３は、操作部２の操作に基づいて、あるいは、動作状態に応じて表示装置３に、表示画面を切り替える指令を送るものである。例えば、操作部２の操作があった場合に、この操作に基づいて動作状態を判定し、表示装置３に、表示画面を切り替える指令を送ると共に、照光制御部１２に、切り替える表示画面を特定する情報が送られる。また、表示制御部１３が、表示装置３の表示画面を自動的に切り替える場合には、照光制御部１２に、切り替える表示画面を特定する情報が送られる。
【００３５】
設定記録部１４は、例えば、フラッシュメモリであって、表示装置３に表示される各内容毎に、操作部２で使用する操作記号７の設定情報が記録されている。そして、この設定記録部１４は、後述する照光制御部１２と接続されている。
【００３６】
照光制御部１２は、表示制御部１３から表示画面を特定する情報を受け取り、この情報に基づいて、表示画面に対応した操作記号７の設定情報を設定記録部１４から読み取る。そして、この読み取った結果に基づいて、ＬＥＤ９を制御する。例えば、携帯電話１の表示画面が、メイン記号７１のみ使用するものであった場合は、照光制御部１２は、メイン記号７１に対応するメインＬＥＤ９１に、点灯させる指令を送り、サブ記号７２に対応するサブＬＥＤ９２には、消灯させる指令を送る。
【００３７】
基板１０は、例えば、板状に形成されたプリント基板であり、図２に示すように、下側筐体４２上に装備される。そして、この基板１０上には、ＬＥＤ９が実装されている。
【００３８】
表示装置３は、携帯電話１の動作状態毎に各表示内容を表示させるものであって、表示制御部１３によって制御されている。
【００３９】
［動作］
次に、本実施例における携帯電話１の動作を、図６を参照して説明する。なお、携帯電話１の起動時は、メインＬＥＤ９１及びサブＬＥＤ９２は点灯するものとし、待ち受け画面は、非使用状態であるため、メインＬＥＤ９１及びサブＬＥＤ９２が点灯しないものとする。まず、携帯電話１が起動され（ステップＳ１）、図５（ｂ）に示すように、メインＬＥＤ９１及びサブＬＥＤ９２が点灯し、図５（ａ）に示すように、メイン記号７１及びサブ記号７２が表示される。そして、表示制御部１３から表示装置３に、表示画面を待ち受け画面に切り替える指令が送られ、この指令を受けた表示装置３が、表示画面を待ち受け画面に切り替える（ステップＳ２）。このとき、表示制御部１３から照光制御部１２に、待ち受け画面を特定する情報が送られ、この情報を受けた照光制御部１２は、待ち受け画面に対応した操作記号７の設定情報を、設定記録部１４から読み取る。そして、読み取った結果に基づいて、照光制御部１２が、メインＬＥＤ９１に消灯指令を送り、メインＬＥＤ９１を消灯させると共に（ステップＳ３）、サブＬＥＤ９２にも消灯指令を送り、サブＬＥＤ９２も消灯させる（ステップＳ４）。
【００４０】
続いて、使用者が、操作部２を操作して、表示装置３の表示画面をダイヤル発信画面に切り替える（ステップＳ５にて肯定判断）。すると、操作部２から表示制御部１３に、入力情報が送られ、この入力情報を受けた表示制御部１３は、表示装置３に、表示画面をダイヤル発信画面に切り替える指令を送る。このとき、照光制御部１２には、ダイヤル発信画面を特定する情報が送られ、この情報を受けた照光制御部１２は、ダイヤル発信画面に対応した操作記号７の設定情報を、設定記録部１４から読み取る。そして、読み取った結果に基づいて、照光制御部１２からメインＬＥＤ９１に、点灯指令が送られ、図４（ｂ）に示すように、メインＬＥＤ９１のみ点灯される（ステップＳ６）。具体的には、ダイヤル発信画面では、数字、♯及び＊が表示されたメイン記号７１のみ使用されるため、照光制御部１２は、メイン記号７１に対応したメインＬＥＤ９１に、点灯指令を送り、サブ記号７２に対応したサブＬＥＤ９２に、消灯指令を送る。そして、メインＬＥＤ９１に対応する表示面１５のみ照光され、図４（ａ）に示すように、表示面１５に表記されているメイン記号７１が視認され易くなる。このとき、表示制御部１３から指令を受けた表示装置３は、表示画面をダイヤル発信画面に切り替える（ステップＳ７）。
【００４１】
次に、ダイヤル発信画面が終了すると（ステップＳ８にて肯定判断）、表示制御部１３は、表示装置３に、表示画面を待ち受け画面に切り替える指令を送り、表示装置３は、表示画面を待ち受け画面に切り替える。
【００４２】
これにより、使用者は、各動作状態において使用する操作記号７のみを視認することができ、携帯電話１の動作状態毎に、使用する操作記号７と、使用しない操作記号７と、を容易に把握することができる。
【実施例２】
【００４３】
次に、本発明の第２の実施例を、図７乃至図８を参照して説明する。図７は、携帯電話の構成を示すブロック図である。図８は、携帯電話の動作を示すフローチャートである。本実施例では、上述した実施例１とほぼ同様の構成を採っているが、照光制御部１２に、情報入力状態判定部１６を構築した点が異なる。以下、図７乃至図８を参照して、実施例１と異なる構成について詳述する。
【００４４】
表示装置３は、表示制御部１３からの指令に基づいて、各表示内容を表示させるものである。そして、表示装置３に表示された表示画面において、複数の入力画面があり、各入力画面で要求される操作記号７がそれぞれ異なる場合に、選択操作により選択された入力画面を特定する情報を、後述する情報入力状態判定部１６に送る。
【００４５】
情報入力状態判定部１６は、照光制御部１２の内部に構築され、制御部６にプログラムが組み込まれることによって実現される。そして、表示装置３の表示画面にて選択された入力画面毎に、要求される操作記号７を判定するものである。具体的には、表示される入力画面を特定する情報を受けて、この入力画面に設定されている操作記号７の設定情報を設定記憶部１４から読み取り、入力画面に要求される操作記号７を判定する。なお、本実施例では、情報入力状態判定部１６を、照光制御部１２の内部に構築した場合を説明したが、これは一例であって、表示装置３の内部に構築してもよい。
【００４６】
照光制御部１２は、表示制御部１３から表示画面を特定する情報を受け、この情報に基づいて、表示画面に対応した操作記号７の設定情報を設定記録部１４から読み取り、あるいは、照光制御部１２の内部に構築された情報入力状態判定部１６の判定結果を受けて、ＬＥＤ９を制御する。
【００４７】
次に、本実施例における携帯電話２１の動作を、図８を参照して説明する。なお、携帯電話２１の起動時は、メインＬＥＤ９１及びサブＬＥＤ９２が点灯するものとし、待ち受け画面は、非使用状態であるため、メインＬＥＤ９１及びサブＬＥＤ９２が点灯しないものとする。まず、携帯電話２１が起動され（ステップＳ２１）、図５（ｂ）に示すように、メインＬＥＤ９１及びサブＬＥＤ９２が点灯し、図５（ａ）に示すように、メイン記号７１及びサブ記号７２が表示される。そして、表示制御部１３から表示装置３に、表示画面を待ち受け画面に切り替える指令が送られ、この指令を受けた表示装置３が、表示画面を待ち受け画面に切り替える（ステップＳ２２）。このとき、表示制御部１３から照光制御部１２に、待ち受け画面を特定する情報が送られ、この情報を受けた照光制御部１２は、待ち受け画面に対応した操作記号７の設定情報を、設定記録部１４から読み取る。そして、読み取った結果に基づいて、照光制御部１２が、メインＬＥＤ９１に消灯指令を送り、メインＬＥＤ９１を消灯させると共に（ステップＳ２３）、サブＬＥＤ９２にも消灯指令を送り、サブＬＥＤ９２も消灯させる（ステップＳ２４）。
【００４８】
続いて、表示装置３の表示画面が、個人情報入力画面に切り替えられる（ステップＳ２５にて肯定判断）。ここで、個人情報入力画面は、氏名入力画面、住所入力画面、電話番号入力画面、が一覧表示されており、使用者が各入力画面を選択できるものとする。まず、使用者が、個人情報入力画面の中から氏名入力画面を選択する（ステップＳ２６）。このとき、氏名入力画面を特定する情報が、情報入力状態判定部１６に送られる。そして、情報入力状態判定部１６は、氏名入力画面に設定されている操作記号７の設定情報を設定記憶部１４から読み取り、この読み取った結果に基づいて、氏名入力画面では、カナが表記されたサブ記号７２のみを使用するものと判定する。そして、この判定結果を受けた照光制御部１２は、サブ記号７２が表記された表示面１５’に対応するサブＬＥＤ９２に、点灯指令を送り、サブＬＥＤ９２のみ点灯させる（ステップＳ２７）。このとき、サブ記号７２の文字部分が透過性のインクで裏面印刷されているため、サブＬＥＤ９２を点灯することによってサブ記号７２が表示面１５’に鮮明に表示され、サブ記号７２が視認され易くなる。そして、表示画面に氏名入力画面が表示され、氏名入力操作が行われる。
【００４９】
次に、氏名入力画面が終了すると（ステップＳ２８にて肯定判断）、使用者が、個人情報入力画面の中から住所入力画面を選択する（ステップＳ２９）。このとき、住所入力画面を特定する情報が情報入力状態判定部１６に送られる。そして、情報入力状態判定部１６は、住所入力画面に設定されている操作記号７の設定情報を設定記憶部１４から読み取り、この読み取った結果に基づいて、住所入力画面では、数字が表記されたメイン記号７１と、カナが表記されたサブ記号７２と、を使用するものと判定する。ここで、氏名入力画面終了時（ステップＳ２８）において、サブＬＥＤ９２が点灯しているため、判定結果を受けた照光制御部１２は、メイン記号７１が表記された表示面１５に対応するメインＬＥＤ９１に、点灯指令を送り、メインＬＥＤ９１を点灯させる（ステップＳ３０）。これにより、図５（ａ）に示すように、メイン記号７１及びサブ記号７２が共に視認される。そして、表示画面に住所入力画面が表示され、住所入力操作が行われる。
【００５０】
続いて、住所入力画面が終了すると（ステップＳ３１にて肯定判断）、使用者が、個人情報入力画面の中から電話番号入力画面を選択する（ステップＳ３２）。このとき、電話番号入力画面を特定する情報が情報入力状態判定部１６に送られる。そして、情報入力状態判定部１６は、電話番号入力画面に設定されている操作記号７の設定情報を設定記憶部１４から読み取り、この読み取った結果に基づいて、電話番号入力画面では、数字が表記されたメイン記号７１のみを使用するものと判定する。ここで、住所入力画面終了時（ステップＳ３１）において、メインＬＥＤ９１及びサブＬＥＤ９２が点灯しているため、判定結果を受けた照光制御部１２は、サブ記号７２が表記された表示面１５’に対応するサブＬＥＤ９２に、消灯指令を送り、サブＬＥＤ９２を消灯させる（ステップＳ３３）。すると、メインＬＥＤ９１のみ点灯するため、図４（ａ）に示すように、表示面１５に表記されているメイン記号７１が、視認され易くなる。そして、表示画面に表示される電話番号入力画面にて、電話番号入力操作が行われ、電話番号入力画面が終了すると（ステップＳ３４にて肯定判断）、再び待ち受け画面に切り替わる。
【００５１】
これにより、使用者は、各入力画面において、入力操作に使用する操作記号７のみ視認することができ、各入力画面毎に使用する操作記号７を、容易に把握することができる。
【００５２】
なお、本実施例では、表示装置３の表示画面が、個人情報入力画面に切り替えられた場合の動作を説明したが、これは一例であって、個人情報入力画面の場合に限られず、アンケート入力画面などであってもよい。
【実施例３】
【００５３】
次に、本発明の第３の実施例を、図７乃至図８を参照して説明する。図７は、携帯電話の構成を示すブロック図である。図８は、携帯電話の動作を示すフローチャートである。本実施例では、上述した実施例２とほぼ同様の構成を採っているが、携帯電話の動作が異なる。具体的には、実施例２では、使用者の選択操作により各入力画面が選択された際に、照光制御部１２がＬＥＤ９を制御するものとしているが、実施例３では、表示画面に入力画面が表示された際に、照光制御部１２がＬＥＤ９を制御するものとしている。また、実施例２では、個人情報入力画面は、各入力画面が一覧表示され、使用者が入力画面を選択できるものとしているが、実施例３では、個人情報入力画面が、各入力画面毎に順次表示され、入力画面が自動的に切り替わるものとしている。以下、図７乃至図８を参照して、実施例２と異なる点について詳述する。
【００５４】
表示装置３は、表示制御部１３からの指令に基づいて、各表示内容を表示させるものである。そして、表示装置３に表示された表示画面において、複数の入力画面があり、各入力画面で要求される操作記号７がそれぞれ異なる場合に、表示画面に表示された入力画面を特定する情報を、後述する情報入力状態判定部１６に送る。
【００５５】
情報入力状態判定部１６は、照光制御部１２の内部に構築され制御部６にプログラムが組み込まれることによって実現される。そして、表示装置３から各入力画面を特定する情報を受け取り、入力画面毎に要求される操作記号７を判定するものである。具体的には、表示される入力画面を特定する情報を受けて、この入力画面に設定されている操作記号７の設定情報を設定記憶部１４から読み取り、入力画面毎に要求される操作記号７を判定する。なお、本実施例では、情報入力状態判定部１６を、照光制御部１２の内部に構築した場合を説明したが、これは一例であって、表示装置３の内部に構築してもよい。
【００５６】
照光制御部１２は、表示制御部１３から表示画面を特定する情報を受け、この情報に基づいて、表示画面に対応した操作記号７の設定情報を設定記録部１４から読み取り、あるいは、照光制御部１２の内部に構築された情報入力状態判定部１６の判定結果を受けて、ＬＥＤ９を制御する。
【００５７】
次に、本実施例における携帯電話の動作を、図８を参照して説明する。なお、本実施例における携帯電話の起動時は、メインＬＥＤ９１及びサブＬＥＤ９２が点灯するものとし、待ち受け画面は、非使用状態であるため、メインＬＥＤ９１及びサブＬＥＤ９２が点灯しないものとする。まず、本実施例における携帯電話が起動され（ステップＳ２１）、図５（ｂ）に示すように、メインＬＥＤ９１及びサブＬＥＤ９２が点灯し、図５（ａ）に示すように、メイン記号７１及びサブ記号７２が表示される。そして、表示制御部１３から表示装置３に、表示画面を待ち受け画面に切り替える指令が送られ、この指令を受けた表示装置３が、表示画面を待ち受け画面に切り替える（ステップＳ２２）。このとき、表示制御部１３から照光制御部１２に、待ち受け画面を特定する情報が送られ、この情報を受けた照光制御部１２は、待ち受け画面に対応した操作記号７の設定情報を設定記録部１４から読み取る。そして、読み取った結果に基づいて、照光制御部１２が、メインＬＥＤ９１に消灯指令を送り、メインＬＥＤ９１を消灯させると共に（ステップＳ２３）、サブＬＥＤ９２にも消灯指令を送り、サブＬＥＤ９２も消灯させる（ステップＳ２４）。
【００５８】
続いて、表示装置３の表示画面が、個人情報入力画面に切り替えられる（ステップＳ２５にて肯定判断）。ここで、個人情報入力画面は、氏名入力画面、住所入力画面、電話番号入力画面が順次表示され、入力画面が自動的に切り替わるものとする。まず、表示装置３に氏名入力画面が表示され（ステップＳ２６）、氏名入力画面を特定する情報が、情報入力状態判定部１６に送られる。そして、情報入力状態判定部１６は、氏名入力画面に設定されている操作記号７の設定情報を設定記憶部１４から読み取り、この読み取った結果に基づいて、氏名入力画面では、カナが表記されたサブ記号７２のみを使用するものと判定する。すると、この判定結果を受けた照光制御部１２は、サブ記号７２が表記された表示面１５’に対応するサブＬＥＤ９２に、点灯指令を送り、サブＬＥＤ９２のみ点灯させる（ステップＳ２７）。このとき、サブ記号７２の文字部分が透過性のインクで裏面印刷されているため、サブＬＥＤ９２を点灯することによってサブ記号７２が表示面１５’に鮮明に表示され、サブ記号７２が視認され易くなる。
【００５９】
そして、氏名入力画面が終了すると（ステップＳ２８にて肯定判断）、入力画面が住所入力画面に切り替わる（ステップＳ２９）。そして、住所入力画面を特定する情報が、情報入力状態判定部１６に送られる。すると、情報入力状態判定部１６は、住所入力画面に設定されている操作記号７の設定情報を設定記憶部１４から読み取り、この読み取った結果に基づいて、住所入力画面では、数字が表記されたメイン記号７１と、カナが表記されたサブ記号７２と、を使用するものと判定される。ここで、氏名入力画面終了時（ステップＳ２８）において、サブＬＥＤ９２が点灯しているため、判定結果を受けた照光制御部１２は、メイン記号７１が表記された表示面１５に対応するメインＬＥＤ９１に、点灯指令を送り、メインＬＥＤ９１を点灯させる（ステップＳ３０）。これにより、図５（ａ）に示すように、メイン記号７１及びサブ記号７２が共に視認される。
【００６０】
次に、住所入力画面が終了すると（ステップＳ３１にて肯定判断）、入力画面が電話番号入力画面に切り替わる（ステップＳ３２）。そして、電話番号入力画面を特定する情報が、情報入力状態判定部１６に送られる。すると、情報入力状態判定部１６は、電話番号入力画面に設定されている操作記号７の設定情報を設定記憶部１４から読み取り、この読み取った結果に基づいて、電話番号入力画面では、数字が表記されたメイン記号７１のみを使用するものと判定される。ここで、住所入力画面終了時（ステップＳ３１）において、メインＬＥＤ９１及びサブＬＥＤ９２が点灯しているため、判定結果を受けた照光制御部１２は、サブ記号７２が表記された表示面１５’に対応するサブＬＥＤ９２に、消灯指令を送り、サブＬＥＤ９２を消灯させる（ステップＳ３３）。すると、メインＬＥＤ９１のみ点灯するため、図４（ａ）に示すように、表示面１５に表記されているメイン記号７１が、視認され易くなる。そして、電話番号入力画面が終了すると（ステップＳ３４にて肯定判断）、表示画面が再び待ち受け画面に切り替わる。
【００６１】
これにより、使用者は、各入力画面において、入力操作に使用する操作記号７のみ視認することができ、各入力画面毎に使用する操作記号７を、容易に把握することができる。
【００６２】
なお、本実施例では、表示装置３の表示画面が、個人情報入力画面に切り替えられた場合の動作を説明したが、これは一例であって、個人情報入力画面の場合に限られず、アンケート入力画面などであってもよい。
【実施例４】
【００６３】
次に、本発明の第４の実施例を、図９を参照して説明する。図９は、本実施例における携帯電話の分解斜視図である。本実施例では、上述した実施例１とほぼ同様の構成を採っているが、フレーム１８に遮光ゴムフレーム１７を用いた点が異なる。以下、図９を参照して、実施例１と異なる構成について詳述する。
【００６４】
遮光ゴムフレーム１７（遮光枠体）は、図９に示すように、各操作ボタン５間を分割するものであり、全体がゴムで形成されている。この遮光ゴムフレーム１７は、実施例１におけるフレーム１８と同様の形状で形成されており、操作ボタン５と、基板１０と、の間に介挿されている。具体的には、各操作ボタン５毎に遮光された空間を形成し、さらに、メイン記号７１に対応する表示面１５と、サブ記号７２に対応する表示面１５’と、の間を分割するように遮光ゴムフレーム１７を形成している。ここで、本実施例における携帯電話３１では、実施例１における携帯電話１と異なり、遮光ゴムフレーム１７自体が弾性変形できるため、遮光ゴム１１を必要とせずに弾性変形させることができる。したがって、部品点数を削減することができると共に、装置の薄型化を図ることができる。
【００６５】
操作ボタン５は、例えば、テンキー、♯キー、＊キー及びメニューキーなど、筐体４に形成された各ボタンである。そして、操作ボタン５上面には、操作記号７が表記された表示面１５，１５’を備えており、操作ボタン５の背面側には、ＬＥＤ９を実装した基板１０が配置されている。そして、この基板１０と、操作ボタン５と、の間に介挿された遮光ゴムフレーム１７と、によって遮光された空間が形成されている。
【００６６】
ＬＥＤ９（照光部）は、遮光ゴムフレーム１７によって分割された各空間に配置され、基板１０上に実装されている。このＬＥＤ９は、メイン記号７１に対応する空間に配置されるメインＬＥＤ９１と、サブ記号７２に対応する空間に配置されるサブＬＥＤ９２と、で構成されている。そして、メインＬＥＤ９１及びサブＬＥＤ９２は、照光制御部１２によってそれぞれ制御されており、照光制御部１２からの指令に基づいて、メインＬＥＤ９１及びサブＬＥＤ９２を、それぞれ点灯又は消灯させる。
【産業上の利用可能性】
【００６７】
本発明は、操作ボタンを有する電子機器などに利用することができ、産業上の利用可能性を有する。
【図面の簡単な説明】
【００６８】
【図１】携帯電話の構成を示す斜視図である。
【図２】図１に示す携帯電話の分解斜視図である。
【図３】実施例１における携帯電話の構成を示すブロック図である。
【図４】（ａ）は、メイン記号のみ表示された操作ボタンの表示面の状態を示す状態図である。（ｂ）は、図４（ａ）のＡ−Ａ線における断面図である。
【図５】（ａ）は、メイン記号及びサブ記号が表示された操作ボタンの表示面の状態を示す状態図である。（ｂ）は、図５（ａ）のＡ−Ａ線における断面図である。
【図６】実施例１における携帯電話の動作を示すフローチャートである。
【図７】携帯電話の構成を示すブロック図である。
【図８】携帯電話の動作を示すフローチャートである。
【図９】実施例４における携帯電話の分解斜視図である。
【符号の説明】
【００６９】
１，２１，３１  携帯電話（電子機器）
２  操作部
３  表示装置
４  筐体
４１  上側筐体
４２  下側筐体
５  操作ボタン
６  制御部
７  操作記号
７１  メイン記号
７２  サブ記号
８  分割フレーム（遮光性分割部）
９  ＬＥＤ（照光部）
９１  メインＬＥＤ（照光部）
９２  サブＬＥＤ（照光部）
１０  基板
１１  遮光ゴム（遮光性分割部）
１２  照光制御部
１３  表示制御部
１４  設定記録部
１５，１５’  表示面
１６  情報入力状態判定部
１７  遮光ゴムフレーム（遮光枠体）
１８  フレーム（遮光性分割部）
【図１】
2008090767.tif 000003
【図２】
2008090767.tif 000004
【図３】
2008090767.tif 000005
【図４】
2008090767.tif 000006
【図５】
2008090767.tif 000007
【図６】
2008090767.tif 000008
【図７】
2008090767.tif 000009
【図８】
2008090767.tif 000010
【図９】
2008090767.tif 000011